(57)【要約】【課題】温度の低い外気を建物内部に効率良く取り入れることができるとともに、自然換気を効率良く行うことができる建物を提供することを目的とする。【解決手段】建物本体Ａ１に隣接して庭１が設けられているとともに、前記建物本体Ａ１に、建物Ａ内部と前記庭１とに連通する開口部２が設けられたものであり、前記庭１には、多孔質状に形成された敷石３ａが複数敷き込まれた敷石スペース３が設けられているとともに、前記複数の敷石３ａが所定の高さ位置まで浸漬するように所定量の水を供給する水供給手段４が設けられていることを特徴とする建物Ａの提供を上記課題の解決手段とする。【選択図】図１
2007162388.tif 000002
【特許請求の範囲】
【請求項１】
建物本体に隣接して庭が設けられているとともに、前記建物本体に、建物内部と前記庭とに連通する開口部が設けられた建物において、
前記庭には、多孔質状に形成された敷石が複数敷き込まれた敷石スペースが設けられているとともに、前記複数の敷石が所定の高さ位置まで浸漬するように所定量の水を供給する水供給手段が設けられていることを特徴とする建物。
【請求項２】
請求項１に記載の建物において、
前記敷石スペースに前記水供給手段として人工池が設けられており、
前記人工池には、池に所定量の水を注ぎ込む潅水装置と、池の水を前記敷石スペースへと流出させる流出口とが設けられていることを特徴とする建物。
【請求項３】
請求項１または２に記載の建物において、
前記建物本体には、複数の部屋の天井部付近に溜まる暖かい空気を外部へと排出するために、下階から上階を経て外部に向かう連続的な排気経路を有する排気設備が設けられており、
前記排気設備は、前記庭に面する下階の部屋の天井部に設けられ、上端部が上階の部屋の天井部に連通する風洞部と、上階の部屋の天井部に設けられ、上端部が外部に連通する排気塔とからなり、
前記下階の部屋は、前記風洞部の下端部が設けられる第１部屋と、この第１部屋に隣接するとともに、第１部屋よりも天井高の低い第２部屋とを備え、前記上階の部屋は、前記第２部屋の上部に位置し、かつ前記排気塔の下端部が設けられる第３部屋を備えていることを特徴とする建物。
【請求項４】
請求項１〜３のいずれか一項に記載の建物において、
建物本体に隣接して坪庭が設けられているとともに、前記建物本体に、建物内部と前記坪庭とに連通する開口部が設けられており、
前記坪庭は多孔質状に形成された複数の敷石が敷き込まれた敷石スペースとされているとともに、この敷石スペースに水を撒くための散水装置が設置されていることを特徴とする建物。
【請求項５】
請求項４に記載の建物において、
前記建物本体には、この建物本体の上階において建物内部と外部とに連通する開口部が設けられており、
前記開口部は前記坪庭の上部に位置するデッキスペースに通じていることを特徴とする建物。
【発明の詳細な説明】
【技術分野】
【０００１】
本発明は、建物本体に隣接して庭が設けられているとともに、前記建物本体に、建物内部と前記庭とに連通する開口部が設けられた建物に関する。
【背景技術】
【０００２】
近年、空調機器の発達に伴い、空調機器を利用して冷暖房を行うようになっている。そのため、住宅等の建物においては、空調効果を高めるために、屋内外の空気の出入りを遮断し、室内の熱が屋外に漏れないようにし、建物の内部の空調におけるエネルギー損失を少なくするために、室内の気密性および断熱性を高くした高気密・高断熱建物が利用されている。
【０００３】
そして、このような高気密・高断熱建物は、屋内外の空気の出入りを遮断しているために換気を十分に行う必要があった。そこで、高気密・高断熱建物の換気を行うために、建物内の部屋等、仕切られた複数の空間をまとめて換気するセントラル換気装置が利用されている（例えば、特許文献１参照）。
【特許文献１】特開平１１−３４４２５３号公報
【発明の開示】
【発明が解決しようとする課題】
【０００４】
ところが、このような換気装置を用いると換気装置の設置にコストがかかる上、多くのエネルギーを消費するという問題があった。このため、特に、春や秋等の気候がよい季節においては上記のような換気装置を用いずに、各部屋の窓やドアを開けて建物内に外気を導入し、建物内部の空気と入れ換える等して自然換気を行うようにしている。
【０００５】
しかしながら、暖かい空気は上昇する性質を備えており、各部屋の窓やドアを開けただけでは、この暖かい空気が各部屋の天井部付近に溜まってしまい、効率よく換気を行うことが困難であった。このため、住宅等の建物において自然換気を効率良く行うことが可能な技術の開発が望まれていた。
【０００６】
また、上記のように各部屋の窓やドアを開けただけでは、例えば、外部の温度が高温の場合に、高温の外気をそのまま建物内に導入することとなるため、建物内部の空気を低下することが困難であった。このため、例えば夏場であっても、温度の低い外気を建物内部に効率良く取り入れることができ、これによって快適な居住環境を形成することが可能となるような技術の開発も併せて望まれていた。
【０００７】
本発明の課題は、温度の低い外気を建物内部に効率良く取り入れることができるとともに、自然換気を効率良く行うことができる建物を提供することを目的とする。
【課題を解決するための手段】
【０００８】
請求項１に記載の発明は、例えば、図１に示すように、建物本体Ａ１に隣接して庭１が設けられているとともに、前記建物本体Ａ１に、建物Ａ内部と前記庭１とに連通する開口部２が設けられた建物Ａにおいて、
前記庭１には、多孔質状に形成された敷石３ａが複数敷き込まれた敷石スペース３が設けられているとともに、前記複数の敷石３ａが所定の高さ位置まで浸漬するように所定量の水を供給する水供給手段４が設けられていることを特徴とする。
【０００９】
請求項１に記載の発明によれば、前記敷石３ａに形成された多くの孔に水を浸透させて、この水を保持することができるとともに、前記敷石３ａに多くの孔が形成されていることにより外気と接する敷石３ａの表面積が広くなるので、保持した水を蒸発させやすくなる。また、水は蒸発するに際して所定の熱量を周囲から奪う性質を備えていることから、前記敷石３ａに浸透して保持された水が蒸発する際は、周囲の熱を奪いながら蒸発するので、周囲の温度を低下させたり、周囲の温度の上昇を抑えたりすることができる。
すなわち、前記水供給手段４により前記敷石スペース３に所定量の水を供給することによって、前記庭１の周囲の温度を低下させたり、温度の上昇を抑えたりすることができるので、温度の低い空気を前記開口部２から建物Ａ内部へと流入させることができる。
したがって、特に夏場などの温暖な時季において、温度の低い外気を建物Ａ内部に効率良く取り入れることができるので、快適な居住環境を形成することが可能となる。
【００１０】
請求項２に記載の発明は、例えば、図１に示すように、請求項１に記載の建物Ａにおいて、
前記敷石スペース３に前記水供給手段４として人工池５が設けられており、
前記人工池５には、池に所定量の水を注ぎ込む潅水装置６と、池の水を前記敷石スペース３へと流出させる流出口７とが設けられていることを特徴とする。
【００１１】
請求項２に記載の発明によれば、前記人工池５に前記潅水装置６と流出口７とが設けられているので、池の水を所定量に維持することができるとともに、前記敷石スペース３に水を供給することができる。これによって、前記複数の敷石３ａに水を浸透させて保持することができるとともに、保持した水を蒸発させやすくなるので、前記庭１の周囲の温度を低下させたり、温度の上昇を抑えたりすることができる。
したがって、特に夏場などの温暖な時季において、温度の低い外気を建物Ａ内部に効率良く取り入れることができるので、快適な居住環境を形成することが可能となる。
【００１２】
請求項３に記載の発明は、例えば、図１〜４に示すように、請求項１または２に記載の建物Ａにおいて、
前記建物本体Ａ１には、複数の部屋の天井部付近に溜まる暖かい空気を外部へと排出するために、下階１０から上階３０を経て外部に向かう連続的な排気経路を有する排気設備Ｂが設けられており、
前記排気設備Ｂは、前記庭１に面する下階１０の部屋の天井部に設けられ、上端部が上階３０の部屋の天井部に連通する風洞部Ｂ１と、上階３０の部屋の天井部に設けられ、上端部が外部に連通する排気塔Ｂ２とからなり、
前記下階１０の部屋は、前記風洞部Ｂ１の下端部が設けられる第１部屋１１と、この第１部屋１１に隣接するとともに、第１部屋１１よりも天井高の低い第２部屋１２とを備え、前記上階３０の部屋は、前記第２部屋１２の上部に位置し、かつ前記排気塔Ｂ２の下端部が設けられる第３部屋３１を備えていることを特徴とする。
【００１３】
請求項３に記載の発明によれば、前記第１部屋１１の天井高よりも前記第２部屋１２の天井高の方が低く設けられているので、暖かい空気が上昇する性質を利用することによって、下階１０の部屋全体の暖かい空気を前記第１部屋１１に溜めることができる。
また、前記風洞部Ｂ１が第１部屋１１の天井部１１ａに設けられているので、前記第１部屋１１の天井部１１ａ付近に溜まった暖かい空気を、前記風洞部Ｂ１を通じて第３部屋３１の天井部３１ａ付近へと排気することが可能となる。
そして、前記第３部屋３１の天井部３１ａ付近には、下階１０の部屋全体の暖かい空気と第３部屋３１自体の暖かい空気とを溜めることができる。
さらに、前記排気塔Ｂ２が第３部屋３１の天井部３１ａに設けられているので、前記第３部屋３１の天井部３１ａ付近に溜まった暖かい空気を、前記排気塔Ｂ２を通じて外部へと排気することが可能となる。したがって、自然換気を効率良く行うことができる。
【００１４】
一方、前記下階１０の部屋は庭１に面して設けられていることから、特に夏場などの温暖な時季において、前記庭１からの温度の低い外気を建物Ａ内部に効率良く取り入れることができるので、快適な居住環境を形成することが可能となる。
【００１５】
また、前記庭１から温度の低い外気を取り入れることで、下階１０の部屋の暖かい空気を押し上げて上昇させることができる。これによって、下階１０の部屋の暖かい空気を効率良く天井部付近に溜めることができるので、前記風洞部Ｂ１によって排気しやすくなり、より一層効率良く自然換気を行うことが可能となる。
【００１６】
さらに、前記建物本体Ａ１には、下階１０から上階３０を経て外部に向かう連続的な排気経路を有する排気設備Ｂが設けられているので、前記庭１から下階１０の部屋へと取り入れた温度の低い外気を、下階１０から上階３０へと流入させることができる。これによって、特に夏場などの温暖な時季において、前記庭１からの温度の低い外気を建物Ａ全体に効率良く取り入れることができるので、より一層快適な居住環境を形成することが可能となる。
【００１７】
請求項４に記載の発明は、例えば、図５に示すように、請求項１〜３のいずれか一項に記載の建物Ａにおいて、
建物本体Ａ２に隣接して坪庭５０が設けられているとともに、前記建物本体Ａ２に、建物Ａ内部と前記坪庭５０とに連通する開口部５１が設けられており、
前記坪庭５０は多孔質状に形成された複数の敷石５２ａａが敷き込まれた敷石スペース５２とされているとともに、この敷石スペース５２に水を撒くための散水装置５３が設置されていることを特徴とする。
【００１８】
請求項４に記載の発明によれば、前記坪庭５０が敷石スペース５２とされ、かつこの敷石スペース５２に水を撒く散水装置５３が設置されているので、前記散水装置５３によって敷石スペース５２に所定量の水を供給することで、前記複数の敷石５２ａに水を浸透させて保持することができるとともに、保持した水を蒸発させやすくなる。
これによって、前記坪庭５０の温度を低下させたり、温度の上昇を抑えたりすることができることから、特に夏場などの温暖な時季において、温度の低い外気を、前記開口部５１を通じて建物Ａ内部に効率良く取り入れることができるので、快適な居住環境を形成することが可能となる。
【００１９】
請求項５に記載の発明は、例えば、図５および図６に示すように、請求項４に記載の建物Ａにおいて、
前記建物本体Ａ１には、この建物本体Ａ１の上階７０において建物Ａ内部と外部とに連通する開口部７１が設けられており、
前記開口部７１は前記坪庭５０の上部に位置するデッキスペース７２に通じていることを特徴とする。
【００２０】
請求項５に記載の発明によれば、前記坪庭５０の温度を低下させたり、温度の上昇を抑えたりしておくことで、温度の低い外気を坪庭５０の上部に位置する前記デッキスペース７２に取り入れることができる。また、前記デッキスペース７２に取り入れた温度の低い外気を、前記開口部７１を通じて建物Ａ内部に取り入れることができるので、より一層快適な居住環境を形成することが可能となる。
【発明の効果】
【００２１】
本発明によれば、建物本体に隣接する庭に、多孔質状に形成された敷石が複数敷き込まれた敷石スペースが設けられているとともに、前記複数の敷石が所定の高さ位置まで浸漬するように所定量の水を供給する水供給手段が設けられていることによって、前記庭の周囲の温度を低下させたり、温度の上昇を抑えたりすることができるので、温度の低い空気を前記建物本体に設けられた開口部から建物内部へと流入させることができる。
したがって、特に夏場などの温暖な時季において、温度の低い外気を建物内部に効率良く取り入れることができるので、快適な居住環境を形成することが可能となる。
また、前記建物本体に、下階から上階を経て外部に向かう連続的な排気経路を有する排気設備が設けられているので、暖かい空気が上昇する性質を利用することで、前記建物本体の各階の天井部付近に溜まる暖かい空気を外部へと排気することができ、自然換気を効率良く行うことが可能となる。
【００２２】
一方、建物本体に隣接して設けられる坪庭が、多孔質状に形成された複数の敷石が敷き込まれた敷石スペースとされ、かつこの敷石スペースに水を撒く散水装置が設置されているので、前記散水装置によって敷石スペースに所定量の水を供給することで、前記複数の敷石に水を浸透させて保持することができるとともに、保持した水を蒸発させやすくなる。これによって、前記坪庭の温度を低下させたり、温度の上昇を抑えたりすることができることから、特に夏場などの温暖な時季において、温度の低い外気を、前記開口部を通じて建物内部に効率良く取り入れることができるので、快適な居住環境を形成することが可能となる。
【発明を実施するための最良の形態】
【００２３】
以下、図面を参照して本発明に係る建物Ａの実施の形態について説明する。
なお、以下の各実施の形態において説明する建物Ａは、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００２４】
（第１の実施の形態）
本実施の形態の建物Ａは、図１に示すように、建物本体Ａ１に隣接して庭１が設けられているとともに、前記建物本体Ａ１に、建物Ａ内部と前記庭１とに連通する開口部２が設けられたものであり、
前記庭１には、多孔質状に形成された敷石３ａが複数敷き込まれた敷石スペース３が設けられているとともに、前記複数の敷石３ａが所定の高さ位置まで浸漬するように所定量の水を供給する水供給手段４が設けられている。
【００２５】
また、前記敷石スペース３に前記水供給手段４として人工池５が設けられており、前記人工池５には、池に所定量の水を注ぎ込む潅水装置６と、池の水を前記敷石スペース３へと流出させる流出口７とが設けられている。
【００２６】
ここで、前記敷石３ａは、上述したように多孔質状に形成された板状の物が用いられている。このように敷石３ａが多孔質状に形成されていることによって、これら多くの孔に水を浸透させて、この水を保持することができるようになっている。また、このように敷石３ａが多孔質状に形成されていることによって、外気と接する敷石３ａの表面積が広くなるので、保持した水を蒸発させやすくなっている。
一方で、水は蒸発するに際して所定の熱量を周囲から奪う性質を備えていることから、すなわち、前記敷石３ａに浸透して保持された水は、蒸発する際に周囲の熱を奪いながら蒸発することとなり、これによって、周囲の温度を低下させたり、周囲の温度の上昇を抑えたりすることができるようになっている。したがって、前記敷石３ａが多孔質状に形成されていることによって、より効率良く周囲の温度を低下させたり、周囲の温度の上昇を抑えたりすることが可能となっている。
【００２７】
なお、本実施の形態の敷石３ａとして、例えば多孔質タイルや板状レンガ等が挙げられるが、これに限られず、本発明の趣旨を逸脱しない範囲で適宜変更可能である。
また、上述したように、このような敷石３ａが、前記庭１に複数敷き込まれて前記敷石スペース３が形成されている。
【００２８】
前記人工池５は、この人工池５の周囲に廻らされる周壁部７ａや底床部からなる貯水槽５ａと、この貯水槽５ａの中央に設けられた浮島部５ｂとを備えている。
また、前記周壁部７ａには、この周壁部７ａの上面部よりも一段低い上面部を有する前記流出口７が形成されている。すなわち、このように流出口７が前記周壁部７ａよりも一段低く設けられた状態となっているので、前記潅水装置６によって貯水槽５ａに注ぎ込まれた水が所定量まで貯まると、それ以降は前記流出口７から溢れ出て流出するようになっている。流出した水は、上述したように前記敷石スペース３に流れるようになっている。
さらに、前記浮島部５ｂに植樹をしておくことによって、夏場などにおいて建物Ａ内へと差し込む太陽光を遮ることができるようになっている。
【００２９】
前記潅水装置６は、前記人工池５の浮島部５ｂに設置されており、図示はしないが、給水パイプ等を介して水道の蛇口又はポンプ等の給水源に接続されており、必要に応じて前記人工池５に水を注ぎ込むことができるようになっている。
【００３０】
また、前記潅水装置６によって前記人工池５および敷石スペース３に水を注ぎ込む際は、まず、前記貯水槽５ａに水を注ぎ込んで前記流出口７から敷石スペース３へと水を流出させる。そして、流出させた水によって前記敷石スペース３の複数の敷石３ａが所定の高さ位置まで浸漬した時点で水の注ぎ込みを止めるようにする。
ここで、前記所定の高さとは、前記敷石３ａが水に埋没しない程度の高さであり、前記敷石スペース３上を水に濡れずに歩くことができる程度に浸漬させることが望ましい。
これにより、敷石３ａの毛細管現象を促進させるとともに、水を蒸発させる際の蒸発面積を増やすことができる。
【００３１】
なお、図示はしないが、前記潅水装置６によって水を注ぐ時、例えば、水の流出量や貯水量を自動的に感知するセンサー等を設けておくとともに、前記潅水装置６に自動注水手段等を設けておくことによって、自動的に前記人工池５および敷石スペース３に水を溜めることができるので好ましい。
また、前記人工池５には、例えば、前記潅水装置６から流した水を循環させることができる循環装置が設置されていても良い。
【００３２】
なお、前記庭１には、図示しない排水設備が設けられており、例えば、雨が降ったときなどに水嵩が増して、建物Ａや近隣の住宅に被害が出ないようになっていることは言うまでもない。
【００３３】
そして、以上のように前記人工池５に前記潅水装置６と流出口７とが設けられ、水を所定量に維持したり、前記敷石スペース３に水を供給したりできることによって、前記複数の敷石３ａに水を浸透させて保持することができるとともに、保持した水を蒸発させやすくなるので、前記庭１の周囲の温度を低下させたり、温度の上昇を抑えたりすることができる。
したがって、特に夏場などの温暖な時季において、温度の低い外気を建物Ａ内部に効率良く取り入れることができるので、快適な居住環境を形成することが可能となる。
【００３４】
次に、前記建物本体Ａ１には、図１および図４に示すように、複数の部屋の天井部付近に溜まる暖かい空気を外部へと排出するために、下階１０から上階３０を経て外部に向かう連続的な排気経路を有する排気設備Ｂが設けられている。
このような排気設備Ｂは、前記庭１に面する下階１０の部屋の天井部に設けられ、上端部が上階３０の部屋の天井部に連通する風洞部Ｂ１と、上階３０の部屋の天井部に設けられ、上端部が外部に連通する排気塔Ｂ２とからなる。
すなわち、このような建物本体Ａ１であれば、前記庭１の温度の低い外気を建物Ａ内部に取り入れることができ、これによって自然換気を促進させることができるようになっている。
【００３５】
そして、前記下階１０の部屋は、前記風洞部Ｂ１の下端部が設けられ、かつ前記庭１に面する第１部屋１１と、この第１部屋１１に隣接するとともに、第１部屋１１よりも天井高の低い第２部屋１２とを備えている。また、前記第１部屋１１には、この第１部屋１１と前記庭１とに連通する前記開口部２が設けられている。
また、前記第１部屋１１は、リビングとなっており、前記第２部屋１２は、ダイニングおよびキッチンを備えた構成となっている。すなわち、これら第１部屋１１および第２部屋１２は、居住者が集う共用居住空間となっている。
【００３６】
また、前記上階３０の部屋は、図２〜図４に示すように、前記第２部屋１２の上部に位置し、かつ前記排気塔Ｂ２の下端部が設けられる第３部屋３１を備えている。
さらに、前記上階３０の部屋は、前記第３部屋３１の他に、前記第１部屋１１の上部に位置するとともに前記第３部屋３１に隣接する第４部屋３２とを備えており、この第４部屋３２の天井部３２ａは、前記第３部屋３１の天井部３１ａよりも若干低い位置に設けられている。
【００３７】
ここで、前記建物本体Ａ１の間取りについて、さらに詳細に説明する。なお、前記建物本体Ａ１は、前記第１部屋１１および第２部屋１２を備えた１階１０と、前記第３部屋３１および第４部屋３２を備えた２階３０と、これら１階１０および２階３０の中間に位置する中間階２０とからなる。
【００３８】
まず、本実施の形態の建物Ａの１階１０は、図１に示すように、前記第１部屋１１および第２部屋１２の他に、玄関ポーチ１３ａ、玄関土間１３ｂ、玄関ホール１３ｃ、シューズクローゼット１３ｄ等の玄関部１３や、小室１４、また、洗面室１５ａ、１階用トイレ１５ｂ、浴室１５ｃ等の水回り室１５や、サンルーム１６が設けられている。
【００３９】
さらに、前記第１部屋１１に隣接して低天井室１７が設けられている。この低天井室１７は、１階１０の床１０ａの一部の上に中間床２０ａが設けられ、この中間床２０ａと下階１０の床１０ａとの間のスペースを指しており、前記第１部屋１１に出入り口１７ａが面して物品の収納がしやすくなっているとともに、建物Ａの外部へ通じる開口部１８がこの出入り口１７ａと対向する壁１７ｂに設けられている。
また、前記低天井室１７は、その天井高が０．９ｍ〜１．４ｍに設定されており、様々なものを収納するための収納空間となっている。
【００４０】
また、前記低天井室１７に設けられた開口部１８は地窓であり、前記下階１０の床１０ａに近い高さに設けられ、室内側からのみ開閉可能となっている。
このように前記低天井室１７に地窓を設けることによって、前記下階１０の床１０ａに近い高さにおいて外部からの空気がより低い高さから流入するようになり、前記第１部屋１１の低い位置にある暖かい空気を押し上げて上昇させるので、前記第１部屋１１の暖かい空気を天井部付近に溜めて、排気しやすくなっている。
また、前記低天井室１７に設けられた地窓が、室内側からのみ開閉可能となっていることから、屋外側から開閉することができず、外部からの人の侵入を防止することができるので防犯上優れる。
【００４１】
一方、前記第１部屋１１は、上述したように、前記第２部屋１２よりも天井高が高く、下階１０から中間階２０にわたる吹抜けを備えた部屋となっている。
そして、図４に示すように、前記第１部屋１１と第２部屋１２との天井高に高低差が生じているとともに、前記第１部屋１１とその他の１階１０の部屋との天井高に高低差が生じているので、１階１０の部屋の暖かい空気が、次第に天井高の高い前記第１部屋１１に集まって溜まるようになる。
これによって、上端部が前記第３部屋３１の天井部３１ａに連通する風洞部Ｂ１が、前記第１部屋１１の天井部１１ａに設けられているので、この風洞部Ｂ１の下端部から前記第１部屋１１の天井部１１ａ付近に溜まった暖かい空気を、前記風洞部Ｂ１を通じて第３部屋３１の天井部３１ａへと排気することができるようになっている。
【００４２】
そして、図１に示すように、前記低天井室１７に隣接するとともに前記第１部屋１１および第２部屋１２に面して、中間階２０を含む上階３０に向かう階段１９が設けられている。
また、このように階段を、前記第１部屋１１および第２部屋１２の共用居住空間に設けることによって、前記玄関部１３と上階３０との行き来をする場合に、前記共用居住空間を必ず通過することになるので、居住者どうしのコミュニケーションの機会を容易に得ることができるようになっている。
【００４３】
次に、本実施の形態の建物Ａの中間階２０は、図２に示すように、前記階段１９を途中まで上がった踊り場２１に面して、和室２２が設けられている。また、前記踊り場２１から、さらに階段２３上がると階段ホール２４があり、この階段ホール２４を中心に複数の部屋が設けられている。
【００４４】
これら複数の部屋のうち、前記階段２３に隣接して中間階低天井室２５が設けられている。この中間階低天井室２５も前記低天井室１７と同様に、その天井高が０．９ｍ〜１．４ｍに設定されており、様々なものを収納するための収納空間となっている。
【００４５】
また、前記中間階低天井室２５に隣接して洋室２６が設けられており、この洋室２６の外部にバルコニー２７が設けられている。
【００４６】
さらに、前記洋室２６とバルコニー２７を通じて行き来でき、かつ前記中間階低天井室２５に、前記階段ホール２４を介して隣接する位置に、前記第３部屋３１が設けられている。この第３部屋３１は、図４に示すように、吹抜けを備え、中間階２０と上階３０とにわたる高天井の部屋となっている。また、前記第３部屋３１には、図２および図３に示すように、後述する第４の部屋に至る階段３１ｂが設けられている。
【００４７】
次に、本実施の形態の建物Ａの上階３０は、図３に示すように、前記階段ホール２４から階段３３を上がった場所に階段ホール３４が設けられている。また、この階段ホール３４に面して２階用トイレ３５が設けられている。
【００４８】
また、前記中間階低天井室２５の上部に、前記階段ホール３４に面して出入り口３６ａが設けられた洋室３６が設けられており、この洋室３６はロフト部３６ｂを備えている。
【００４９】
一方、この洋室３６と対向した位置に出入り口３２ｂが設けられた前記第４部屋３２が、図４に示すように、前記第１部屋１１の上部に位置するようにして設けられている。また、この第４部屋３２は、上述したように、前記階段３１ｂを通じて前記第３部屋３１と隣接するようにして設けられている。なお、この第４部屋３２は、前記第１部屋１１の上部に位置するだけでなく、図２および図３に示すように、前記中間階２０の和室２２の上部にも位置しており、前記和室２２の上部にはクローゼット３２ｃが設けられている。
【００５０】
また、前記第４部屋３２の天井部３２ａは、図１に示すように、前記第３部屋３１の天井部３１ａよりも若干低い位置に設けられている。さらに、その他の前記中間階２０および上階３０の各部屋も、前記第３部屋３１に比して天井部が低い位置に設けられている。これにより、前記第４部屋３２、また前記中間階２０および上階３０の各部屋の天井部付近に溜まった暖かい空気が、次第に前記第３部屋３１の天井部３１ａ付近に溜まるようになる。
そして、上端部が外部に連通する前記排気塔Ｂ２が、前記第３部屋３１の天井部３１ａに設けられていることによって、この排気塔Ｂ２の下端部から前記第３部屋３１の天井部３１ａ付近に溜まった暖かい空気を、前記排気塔Ｂ２を通じて外部へと排気することが可能となる。したがって、自然換気を効率良く行うことができるようになっている。
【００５１】
なお、以上のように本実施の形態の建物Ａは複数の部屋を備えているが、例えば、これら複数の部屋どうしの間にドア等を設けた場合、これらドアは閉じられたままの状態になる場合があるので、ドアの上部に欄間（図示せず）等を設けて自然換気を促すことが望ましい。また、このような欄間を、前記低天井室１７の地窓の対角線上に設けるなどして、より一層効率良く自然換気を行うことが望ましい。
【００５２】
なお、本実施の形態の建物本体Ａ１の間取りは以上のように構成されているが、これに限られるものではなく、本発明の趣旨を逸脱しない範囲で適宜変更可能であることは言うまでもない。
【００５３】
次に、このような建物本体Ａ１に設置された前記風洞部Ｂ１および排気塔Ｂ２からなる排気設備Ｂについて詳細に説明する。
【００５４】
すなわち、前記排気設備Ｂは、前記第１部屋１１の天井部１１ａに設けられ、上端部が前記第３部屋３１の天井部３１ａに連通する風洞部Ｂ１と、前記第３部屋３１の天井部３１ａに設けられ、上端部が外部に連通する排気塔Ｂ２とからなる。
【００５５】
ここで、これら風洞部Ｂ１と排気塔Ｂ２との位置関係としては、図４に示すように、前記第３部屋３１の天井部３１ａを介して前記排気塔Ｂ２の下方に前記風洞部Ｂ１が設けられた状態となっている。
これによって、前記風洞部Ｂ１から排気塔Ｂ２へ、延いては外部へと連続的な排気経路を確保することが可能となる。すなわち、前記第１部屋１１の天井部１１ａに溜まった暖かい空気が上方の第３部屋３１に向かって排気されやすくなるとともに、第３部屋３１の天井部３１ａ付近に溜まった暖かい空気が外部へと排気されやすくなるので、自然換気を効率良く行うことができるようになっている。
【００５６】
前記風洞部Ｂ１は、下端部が前記第１部屋１１の天井部１１ａに設けられた状態となっており、図２に示すように、本体部は第３部屋３１において前記階段３１ｂに隣接して設けられている。そして、その上端部は、図３および図４に示すように、前記第３部屋３１の天井部３１ａに連通している。
【００５７】
前記排気塔Ｂ２は、図４に示すように、下端部が前記第３部屋３１の天井部３１ａに設けられた状態となっており、本体部は小屋裏を通過した状態となっている。そして、その上端部は屋根４０から突出しており、外部に連通した状態となっている。
【００５８】
また、前記第１部屋１１の天井部１１ａと前記風洞部Ｂ１の下端部との間には、空気を流通させるための開口部Ｂ１ａが設けられているとともに、前記第３部屋３１の天井部３１ａと前記排気塔Ｂ２の下端部との間にも、空気を流通させるための開口部Ｂ２ａが設けられている。
このように、それぞれ開口部Ｂ１ａ、Ｂ２ａを設けることによって、前記第１部屋１１の天井部１１ａ付近に溜まった暖かい空気を前記風洞部Ｂ１へと確実に排気することができるとともに、前記第３部屋３１の天井部３１ａ付近に溜まった暖かい空気を前記排気塔Ｂ２へと確実に排気することができので、前記風洞部Ｂ１から排気塔Ｂ２へ、延いては外部へと開放された排気経路を確保することが可能となり、自然換気を効率良く行うことができるようになっている。
【００５９】
さらに、前記第３部屋３１の天井部３１ａと前記排気塔Ｂ２の下端部との間に設けられた開口部Ｂ２ａには、この開口部Ｂ２ａを開閉する開閉部材Ｂ２ｂが設けられた状態となっている。
そして、このように前記開口部Ｂ２ａを開閉する開閉部材Ｂ２ｂを設けることによって、前記開口部Ｂ２ａを開いた状態にすると、排気経路が開放されて自然換気を効率良く行うことができ、前記開口部Ｂ２ａを閉めた状態にすると、排気経路が閉塞されて建物Ａ内の気密性を向上することができるようになっている。
すなわち、例えば夏場においては、前記開口部Ｂ２ａを開いた状態にすることによって、建物Ａ内の暖かい空気を効率良く排気することができるとともに、冬場においては、前記開口部Ｂ２ａを閉めた状態することによって、建物Ａ内の暖かい空気を逃がさないようにすることができるので、居住性の向上を図ることが可能となる。
また、このように夏場において暖かい空気を効率良く排気することができるとともに、冬場において建物Ａ内の暖かい空気を逃がさないようにすることができるので、従来とは異なり、空調機器や換気装置等に係るコストを抑えることが可能となり、その上、多くのエネルギー消費を抑制することが可能となっている。
【００６０】
一方、前記排気塔Ｂ２は、上述したように、屋根４０から上方に突出して設けられ、かつ突出した排気塔Ｂ２の周壁Ｂ２０の少なくとも一面にガラス板Ｂ２０ａを備えた状態となっている。また、この排気塔Ｂ２の上端部には排気塔カバーＢ３０が設けられており、この排気塔カバーＢ３０の上面にもガラス板Ｂ３０ａが設けられた状態となっている。
このように前記排気塔Ｂ２の周壁Ｂ２０および排気塔カバーＢ３０の上面にガラス板Ｂ２０ａ、Ｂ３０ａが設けられていることによって、これらガラス板Ｂ２０ａ、Ｂ３０ａを通過して前記排気塔Ｂ２内へと太陽光が差し込むので、前記排気塔Ｂ２内の空気を暖めることが可能となる。これによって、前記第３部屋３１の天井部３１ａ付近から排気塔Ｂ２内に上昇してきた暖かい空気を更に暖めることができるので、暖かい空気の上昇および排気を促進することができるようになっている。
【００６１】
そして、以上のような本実施の形態の建物本体Ａ１によれば、前記第１部屋１１の天井高よりも前記第２部屋１２の天井高の方が低く設けられているので、暖かい空気が上昇する性質を利用することによって、下階１０の部屋全体の暖かい空気を前記第１部屋１１に溜めることができる。
また、前記風洞部Ｂ１が第１部屋１１の天井部１１ａに設けられているので、前記第１部屋１１の天井部１１ａ付近に溜まった暖かい空気を、前記風洞部Ｂ１を通じて第３部屋３１の天井部３１ａ付近へと排気することが可能となる。
そして、前記第３部屋３１の天井部３１ａ付近には、下階１０の部屋全体の暖かい空気と第３部屋３１自体の暖かい空気とを溜めることができる。
さらに、前記排気塔Ｂ２が第３部屋３１の天井部３１ａに設けられているので、前記第３部屋３１の天井部３１ａ付近に溜まった暖かい空気を、前記排気塔Ｂ２を通じて外部へと排気することが可能となる。したがって、自然換気を効率良く行うことができる。
【００６２】
一方、前記下階１０の部屋は庭１に面して設けられていることから、特に夏場などの温暖な時季において、前記庭１からの温度の低い外気を建物Ａ内部に効率良く取り入れることができるので、快適な居住環境を形成することが可能となる。
【００６３】
また、前記庭１から温度の低い外気を取り入れることで、下階１０の部屋の暖かい空気を押し上げて上昇させることができる。これによって、下階１０の部屋の暖かい空気を効率良く天井部付近に溜めることができるので、前記風洞部Ｂ１によって排気しやすくなり、より一層効率良く自然換気を行うことが可能となる。
【００６４】
さらに、前記建物本体Ａ１には、下階１０から上階３０を経て外部に向かう連続的な排気経路を有する排気設備Ｂが設けられているので、前記庭１から下階１０の部屋へと取り入れた温度の低い外気を、下階１０から上階３０へと流入させることができる。これによって、特に夏場などの温暖な時季において、前記庭１からの温度の低い外気を建物Ａ全体に効率良く取り入れることができるので、より一層快適な居住環境を形成することが可能となる。
【００６５】
本実施の形態によれば、建物本体Ａ１に隣接する庭１に、多孔質状に形成された敷石３ａが複数敷き込まれた敷石スペース３が設けられているとともに、前記複数の敷石３ａが所定の高さ位置まで浸漬するように所定量の水を供給する水供給手段４が設けられていることによって、前記庭１の周囲の温度を低下させたり、温度の上昇を抑えたりすることができるので、温度の低い空気を前記建物本体Ａ１に設けられた開口部２から建物Ａ内部へと流入させることができる。
したがって、特に夏場などの温暖な時季において、温度の低い外気を建物Ａ内部に効率良く取り入れることができるので、快適な居住環境を形成することが可能となる。
また、前記建物本体Ａ１に、下階１０から上階３０を経て外部に向かう連続的な排気経路を有する排気設備Ｂが設けられているので、暖かい空気が上昇する性質を利用することで、前記建物本体Ａ１の各階の天井部付近に溜まる暖かい空気を外部へと排気することができ、自然換気を効率良く行うことが可能となる。
【００６６】
（第２の実施の形態）
次に、図面を参照して本発明に係る建物Ａの第２の実施の形態について説明する。なお、説明の便宜上、上述した第１の実施の形態とは異なる構成部分のみについて説明する。
【００６７】
本実施の形態の建物Ａは、図５に示すように、建物本体Ａ２に隣接して坪庭５０が設けられているとともに、前記建物本体Ａ２に、建物Ａ内部と前記坪庭５０とに連通する開口部５１が設けられており、
前記坪庭５０は多孔質状に形成された複数の敷石５２ａが敷き込まれた敷石スペース５２とされているとともに、この敷石スペース５２に水を撒くための散水装置５３が設置されている。
【００６８】
ここで、前記敷石５２ａは、上述した第１の実施の形態における敷石３ａと同様に、多孔質状に形成された板状の物が用いられており、複数の敷石５２ａが前記坪庭５０に敷き詰められた状態となっている。
【００６９】
前記散水装置５３は、前記敷石スペース５２に設置され、この敷石スペース５２全体に水を撒くことができるようになっており、前記複数の敷石５２ａが所定の高さ位置まで浸漬するように所定量の水を撒くようにしている。
そして、このように前記散水装置５３によって敷石スペース５２に所定量の水を供給することによって、前記複数の敷石５２ａに水を浸透させて保持することができるとともに、保持した水を蒸発させやすくなるので、前記坪庭５０の温度を低下させたり、温度の上昇を抑えたりすることが可能となる。
【００７０】
また、前記建物本体Ａ２には、図６に示すように、この建物本体Ａ２の上階７０において建物Ａ内部と外部とに連通する開口部７１が設けられており、前記開口部７１は前記坪庭５０の上部に位置するデッキスペース７２に通じている。
そして、このように前記坪庭５０の上部に前記デッキスペース７２が位置するようにしておけば、前記坪庭５０の温度を低下させたり、温度の上昇を抑えたりしておくことによって、温度の低い外気を坪庭５０の上部に位置する前記デッキスペース７２に取り入れることができる。また、前記デッキスペース７２に取り入れた温度の低い外気を、前記開口部７１を通じて建物Ａ内部に取り入れることができるようになっている。
【００７１】
次に、前記建物本体Ａ２の間取りについてさらに詳細に説明する。本実施の形態の建物本体Ａ２は、図５〜図７に示すように、前記坪庭５０が設けられる１階６０と、前記デッキスペース７２が設けられる２階７０と、この２階７０よりも半階上がった中間階８０とを備えている。
【００７２】
前記１階６０は、図５に示すように、前記坪庭５０の他に、玄関ポーチ６１ａ、玄関土間６１ｂ、玄関ホール６１ｃ、シューズクローゼット６１ｄ等の玄関部６１や、１階寝室６２、また、洗面室６３ａ、１階用トイレ６３ｂ、浴室６３ｃ等の水回り室６３や、洋室６４が設けられている。
また、前記玄関部６１に連なり、前記１階寝室６２や水回り室６３、洋室６４に接続する廊下６５が１階６０の中央に設けられている。
【００７３】
前記坪庭５０は、前記水回り室６３と洋室６４との間において、前記廊下６５に設けられた開口部５１に面して設けられている。これによって、前記坪庭５０の温度の低い外気を、前記廊下６５に設けられた開口部５１を通じて１階６０の各部屋へと流入させることができるようになっている。
【００７４】
また、前記廊下６５を挟んで前記坪庭５０に対向する位置には、２階７０に上がるための階段６６が設置されている。これによって、前記坪庭５０の温度の低い外気を、前記廊下６５に設けられた開口部５１を通じて２階７０の部屋へと吹き込ませることができるようになっている。
【００７５】
次に、前記２階７０は、図６に示すように、前記デッキスペース７２の他に、リビング７３ａ、ダイニング７３ｂおよびキッチン７３ｃからなる共用居住空間７３と、バルコニー７４、また、２階７０の床よりも半階上がった位置に設けられる中間床８０ａの下部に収納室７５が設けられている。
【００７６】
なお、前記収納室７５は、その天井高が０．９ｍ〜１．４ｍに設定されており、様々なものを収納するための収納空間となっている。
また、この中間床８０ａ上には、後述する中間階寝室８１が設けられており、中間階８０が形成されている。
【００７７】
前記デッキスペース７２は、前記坪庭５０の上部に位置しており、前記共用居住空間７３に設けられた開口部７１に面して設けられている。これによって、前記坪庭５０の温度の低い外気を、前記開口部７１を通じて２階７０の部屋に流入させることができるようになっている。
【００７８】
また、前記共用居住空間７３を挟んで前記デッキスペース７２に対向する位置には、中間階８０に上がるための階段７６が設置されている。これによって、前記坪庭５０の温度の低い外気を前記中間階寝室８１へと吹き込ませることができるようになっている。
【００７９】
なお、前記１階６０と２階７０とが、前記坪庭５０とデッキスペース７２とを通じて空気が流通しやすくなっているとともに、１階６０と２階７０とをつなぐ前記階段６６を通じて空気が流通しやすくなっているので、建物本体Ａ２自体が通風性に優れたものとなる。したがって、自然換気を効率良く行うことができるようになっている。
【００８０】
また、図示はしないが、１階６０の前記洋室６４に隣接して庭を設け、この庭に複数の敷石５２ａを敷き込むとともに、水供給手段を設けても良い。これによって、特に夏場などの温暖な時季において、温度の低い外気を、前記洋室６４に設けられた開口部６４ａを通じて建物Ａ内部に効率良く取り入れることができるので好ましい。
【００８１】
次に、前記中間階８０は、図７に示すように、前記中間階寝室８１が設けられている。また、この中間階寝室８１は屋根９０に近い高さでは位置されており、暖かい空気が上昇する性質を備えていることを考慮した場合に、この中間階寝室８１は建物Ａ全体の暖かい空気が溜まる熱溜まりの部屋になることが考えられる。
そこで、前記中間階寝室８１には屋根９０の軒下部分に近い位置に複数の窓８２が設けられており、これによって、下階６０から上がってくる暖かい空気を外部に排気することができるとともに、風雨の侵入を効果的に防ぐことができるようになっている。
【００８２】
なお、本実施の形態の建物本体Ａ２の間取りは以上のように構成されているが、これに限られるものではなく、本発明の趣旨を逸脱しない範囲で適宜変更可能であることは言うまでもない。
【００８３】
そして、本実施の形態によれば、建物本体Ａ２に隣接して設けられる坪庭５０が、多孔質状に形成された複数の敷石５２ａが敷き込まれた敷石スペース５２とされ、かつこの敷石スペース５２に水を撒く散水装置５３が設置されているので、前記散水装置５３によって敷石スペース５２に所定量の水を供給することで、前記複数の敷石５２ａに水を浸透させて保持することができるとともに、保持した水を蒸発させやすくなる。
これによって、前記坪庭５０の温度を低下させたり、温度の上昇を抑えたりすることができることから、特に夏場などの温暖な時季において、温度の低い外気を、前記開口部５１を通じて建物Ａ内部に効率良く取り入れることができるので、上述した第１の実施の形態のように、快適な居住環境を形成することが可能となる。
【図面の簡単な説明】
【００８４】
【図１】本発明の第１実施形態に係る建物の下階の間取りを示す平面図である。
【図２】本発明の第１実施形態に係る建物の中間階の間取りを示す平面図である。
【図３】本発明の第１実施形態に係る建物の上階の間取りを示す平面図である。
【図４】本発明の第１実施形態に係る建物を示す断面図である。
【図５】本発明の第２実施形態に係る建物の下階の間取りを示す平面図である。
【図６】本発明の第２実施形態に係る建物の上階の間取りを示す平面図である。
【図７】本発明の第２実施形態に係る建物の中間階の間取りを示す平面図である。
【符号の説明】
【００８５】
Ａ  建物
Ａ１  建物本体
Ａ２  建物本体
１  庭
２  開口部
３  敷石スペース
５  人工池
５０  坪庭
５１  開口部
５２  敷石スペース
５３  散水装置
【図１】
2007162388.tif 000003
【図２】
2007162388.tif 000004
【図３】
2007162388.tif 000005
【図４】
2007162388.tif 000006
【図５】
2007162388.tif 000007
【図６】
2007162388.tif 000008
【図７】
2007162388.tif 000009